(57)【要約】      （修正有）【課題】特別の装置を必要とせずに簡単に使用でき、ネック部形状、表面質感及び色の衣服がその人に合うかを判断するためのネックボードセットを提供する。【解決手段】ネックボードセットは、複数のネックボード１００から構成され、これら複数のネックボード１００の各々が、多辺形状に形成されかつ両面に互いに異なる種類の色及び／又は柄を有するシート材１０からなっている。シート材１０の少なくとも一辺に衣服の襟部の開口形状に対応する凹形部２０又は凸形部が設けられている。【選択図】図１
0003210710.tif 000002
【実用新案登録請求の範囲】
【請求項１】
複数のネックボードから構成され、該複数のネックボードの各々が、多辺形状に形成されかつ両面に互いに異なる種類の色、質感及び／又は柄を有するシート材からなり、該シート材の少なくとも一辺に衣服の襟部の開口形状に対応する凹形部又は凸形部が設けられていることを特徴とするネックボードセット。
【請求項２】
前記複数のネックボードにおける複数の前記シート材は、互いに異なる形状の前記凹形部を有することを特徴とする請求項１に記載のネックボードセット。
【請求項３】
前記複数のネックボードにおける複数の前記シート材は、互いに異なる色及び／又は柄を有することを特徴とする請求項１又は２に記載のネックボードセット。
【請求項４】
前記シート材は、前記凹形部が設けられている辺に対向する辺又は隣接する辺に、前記凹形部の大きさ又は形状と異なる凹形部又は凸形部が設けられていることを特徴とする請求項１から３のいずれか１項に記載のネックボードセット。
【請求項５】
前記シート材は、表面に色及び／又は柄が描かれた厚紙若しくは板紙又は樹脂平板からなることを特徴とする請求項１から４のいずれか１項に記載のネックボードセット。
【請求項６】
前記シート材は、表面に色及び／又は柄を有する表面フィルムが固着された厚紙若しくは板紙又は樹脂平板からなることを特徴とする請求項１から４のいずれか１項に記載のネックボードセット。
【考案の詳細な説明】
【技術分野】
【０００１】
本考案は、どのようなネック部形状、色及び柄の衣服が試着者に合うかを判断するために使用するネックボードセットに関する。
【背景技術】
【０００２】
一般に、衣服のデザインや色がその人に似合うか否かを知るためには、種々のデザインや色の衣服を実際に試着して判断することが行われる。このように、実際の衣服を試着することで似合うか否かを確実に判断することができるが、種々のデザイン及び色の衣服をそろえることは難しく、試着場所も限定され、試着自体に時間を要する。さらに、試着が不可能な場合もある。
【０００３】
近年、試着者（利用者）の容姿にマッチした衣服等の服飾物を選択することができる試着支援装置が提案されている（例えば、特許文献１）。
【０００４】
特許文献１に記載の試着支援装置は、撮影画像データに基づいて利用者の肌の色に関する色特性データを取得する色特性処理部と、利用者の体型データに対応する３次元人体形状データに色特性データに基づいて着色して人体画像データを作成する人体処理部と、衣服データに基づいて色特性データに対応する色柄データを取得する色柄処理部と、人体画像データ及び色柄データに基づいて着装画像データを作成する着装処理部と、利用者の頭部画像データ及び着装画像データを合成して試着画像データを作成する試着処理部とを備えている。この試着支援装置によれば、実際に衣服を試着せずとも、利用者の容姿にあった衣服を選択することが可能となる。
【０００５】
また、服を多数枚の衣服体に分割し、分割された多数枚の衣服体の色彩、色、柄又は素材等をそれぞれ異なるものにし、この多数枚の衣服体を取り付け手段を介して一体化し、衣服を構成するコーディネート衣服も提案されている（例えば、特許文献２）。このコーディネート衣服によれば、ファッションコーディネート、機能性コーディネート、その他のコーディネートが達成され、おしゃれを経済的に満喫することが可能となる。
【先行技術文献】
【特許文献】
【０００６】
【特許文献１】特開２０１５−７９３６２号公報
【特許文献２】実開平６−８５３１１号公報
【考案の概要】
【考案が解決しようとする課題】
【０００７】
しかしながら、特許文献１に記載の試着支援装置は、利用者を撮影する撮影部と、利用者の体型を検知する検知部と、衣服の選択操作を行う操作部と、前記撮影部から得られた撮影画像データ及び前記検知部から得られた体型データに基づいて操作部で選択された衣服データに関する試着画像データを作成する処理部と、作成された試着画像データを表示する表示部とが必要となることから、大がかりな装置となり、簡易に衣服の選択を行うことが不可能であった。しかも、システム専用のソフトウエアを開発することが必要となることも含めて装置の製造コストが非常に高いため、導入が困難であった。
【０００８】
また、特許文献２に記載のコーディネート衣服は、試着する際、面ファスナ等の取り付け手段で多数枚の衣服体を連結して一体化する必要があるため、繁雑で作成に時間がかかっていた。さらに、製作コストもかなり高いものであった。
【０００９】
従って、本考案は従来技術の上述した問題点を解消するものであり、本考案の目的は、特別の装置を必要とせずに簡単に使用でき、どのようなネック部形状、色及び柄の衣服が試着者に合うかを判断するために使用するネックボードセットを提供することにある。
【課題を解決するための手段】
【００１０】
本考案によれば、ネックボードセットは、互いに独立した複数のネックボードから構成され、これら複数のネックボードの各々が、多辺形状に形成されかつ両面に互いに異なる種類の色、質感及び／又は柄を有するシート材からなっている。シート材の少なくとも一辺に衣服の襟部の開口形状に対応する凹形部又は凸形部が設けられている。
【００１１】
衣服を選択する際に、ネックボードセットの各ネックボードを試着者の胸部前面に配置することで、どのようなネック部形状、色、質感及び柄の衣服がその試着者の顔の形状、肌等に合うかを、特別の装置を必要とせずに簡単かつ低コストで判断することができる。
【００１２】
複数のネックボードにおける複数のシート材は、互いに異なる形状の凹形部を有することが好ましい。このような構成を有することにより、様々の襟形状の衣服と合うかどうかを判断することができる。
【００１３】
複数のネックボードにおける複数のシート材は、互いに異なる色及び／又は柄を有することが好ましい。このような構成を有することにより、様々の色、柄の衣服と合うかどうかを判断することができる。
【００１４】
シート材は、凹形部が設けられている辺に対向する辺又は隣接する辺に、凹形部の大きさ又は形状と異なる凹形部又は凸形部が設けられていることも好ましい。これにより、より多くのパターンを構成することができる。
【００１５】
シート材は、表面に色及び／又は柄が描かれた厚紙若しくは板紙又は樹脂平板からなるか、又は表面に色及び／又は柄を有する表面フィルムが固着された厚紙若しくは板紙又は樹脂平板からなることも好ましい。
【考案の効果】
【００１６】
本考案のネックボードセットによれば、各ネックボードが、多辺形状に形成されかつ両面に互いに異なる種類の色、質感及び／又は柄を有するシート材からなっており、シート材の少なくとも一辺に衣服の襟部の開口形状に対応する凹形部又は凸形部が設けられているため、衣服を選択する際に、ネックボードセットの各ネックボードを試着者の胸部前面に配置することで、どのようなネック部形状、色及び柄の衣服がその試着者の顔の形状、肌等に合うかを、特別の装置を必要とせずに簡単かつ低コストで判断することができる。
【図面の簡単な説明】
【００１７】
【図１】本考案のネックボードセットにおける第１のネックボードの構成を概略的に示す図である。
【図２】本考案のネックボードセットにおける第２〜第７のネックボードの構成を概略的に示す図である。
【図３】本考案のネックボードセットにおける第８〜第１１のネックボードの構成を概略的に示す図である。
【図４】本考案のネックボードセットにおける第１のネックボードの使用形態を概略的に示す図である。
【考案を実施するための形態】
【００１８】
以下、本考案に係るネックボードセットについて、図面を参照して説明する。本考案のネックボードセットは、互いに異なる形状、色又は柄の複数のネックボードを有しており、各ネックボードを試着者の胸部前面に配置することで、その襟部形状、色、質感及び／又は柄が試着者に合うかどうかを判断するために用いる。
【００１９】
図１は本考案のネックボードセットにおける第１のネックボード１００の構成を示している。
【００２０】
同図に示すように、この第１のネックボード１００は、多辺形状に形成されかつ両面に互いに異なる種類の色、質感及び／又は柄を有するシート材１０からなっている。このシート材１０の一辺に衣服の襟部の開口形状に対応する凹形部２０が設けられている。
【００２１】
シート材１０は、厚紙若しくは板紙又は樹脂平板から所定の多辺形状、例えば、四辺形状に形成されている。このシート材１０の両面には互いに異なる種類の色、例えば、表面はホワイトに描かれ、裏面はオフホワイトに着色されているか、又は表面にホワイトの表面フィルムが、裏面にオフホワイトの表面フィルムが固着されている。シート材１０の両面が互いに異なる種類の柄を有するようにしても良い。なお、シート材１０は、可撓性を有することが好ましい。単なる一例であるが、シート材１０の外形寸法は、例えば２５７ｍｍ×３６４ｍｍである。
【００２２】
凹形部２０は、シート材１０の一辺に形成され、例えば、Ｖ形状（Ｖネック）であり、Ｖ形状の襟部を有する衣服に相当し、衣服の襟部の開口とほぼ大きさを有する。Ｖ形状の寸法（深さ×幅）は、単なる一例であるが、例えば、１５０ｍｍ×１５０ｍｍである。また、Ｖ形状の凹形部２０の大きさは、必要に応じて適宜に設計することができる。
【００２３】
以上説明したようにこの第１のネックボード１００は、四辺形状に形成され、表面及び裏面の両面に互いに異なる種類の色、質感及び／又は柄を有するシート材１０からなり、このシート材１０の一辺に衣服の襟部の開口形状に対応する凹形部２０を設けるように構成されることで、衣服を選択する際に、ネックボード１００を試着者の胸部前面に配置することで、どのようなネック部形状、色及び柄の衣服がその試着者の顔の形状、肌等に合うかを、特別の装置を必要とせずに簡単かつ低コストで判断することができる。
【００２４】
図２は本考案のネックボードセットにおける第２〜第７のネックボード２００〜７００の構成を示しており、これら第２〜第７のネックボード２００〜７００は、多辺形状に形成されかつ両面に互いに異なる種類の色、質感及び／又は柄を有する複数（６枚）のシート材１０ａ〜１０ｆからそれぞれ構成されている。シート材１０ａ〜１０ｆは、互いに異なる形状の凹形部２０ａ、２０ｂ及び２０ｂ’、２０ｃ、２０ｄ、２０ｅ、２０ｆ又は凸形部３０ｆをそれぞれ有している。
【００２５】
より詳細には、同図（ａ）は略半円形状の凹形部２０ａ（即ち、ラウンドネック）を有する第２のネックボード２００を示しており、（ｂ）は矩形形状の凹形部２０ｂ及び台形凹形部２０ｂ’（即ち、スクエアネック及びボートネック）を有する第３のネックボード３００を示しており、（ｃ）は縦長半楕円形状の凹形部２０ｃ（即ち、Ｕネック）を有する第４のネックボード４００を示しており、（ｄ）は横長半楕円形状の凹形部２０ｄ（即ち、クルーネック）を有する第５のネックボード５００を示しており、（ｅ）はＶ形状の凹形部２０ｅ（即ち、狭いＶネック）を有する第６のネックボード６００を示しており、（ｆ）はＶ形状の凹形部２０ｆ及び凸形部３０ｆ（即ち、広いＶネック及びハイネック）を有する第７のネックボード７００を示している。これら凹形部及び凸形部の大きさは、必要に応じて適宜に設計することができる。
【００２６】
シート材１０ａ〜１０ｆは、所定の多辺形状、例えば、略四辺形状の厚紙若しくは板紙又は樹脂平板から形成されている。各シート材１０ａ〜１０ｆの両面は互いに異なる種類の色を有している。例えば、シート材１０ａの表面はゴールドに着色され、裏面はシルバーに着色されているか、又は表面にゴールドの表面フィルムが、裏面にシルバーの表面フィルムが固着されている。また、シート材１０ｂの表面は黄味の紺に着色され、裏面は赤味の紺に着色されているか、又は表面に黄味の紺の表面フィルムが、裏面に赤味の紺の表面フィルムが固着されている。シート材１０ｃの表面はマットブラックに着色され、裏面はグローブラックに着色されているか、又は表面にマットブラックの表面フィルムが、裏面にグローブラックの表面フィルムが固着されている。シート材１０ｄの表面はオレンジに着色され、裏面はピンクに着色されているか、又は表面にオレンジの表面フィルムが、裏面にピンクの表面フィルムが固着されている。シート材１０ｅの表面はグレージュに着色され、裏面はブルーグレーに着色されているか、又は表面にグレージュの表面フィルムが、裏面にブルーグレーの表面フィルムが固着されている。シート材１０ｆの表面はホワイトに着色され、裏面はオフホワイトに着色されているか、又は表面にホワイトの表面フィルムが、裏面にオフホワイトの表面フィルムが固着されている。これらシート材１０ａ〜１０ｆの両面が互いに異なる種類の柄を有するようにしても良い。なお、シート材１０ａ〜１０ｆは、可撓性を有することが好ましい。単なる一例であるが、シート材１０ａ〜１０ｆの外形寸法は、例えば２５７ｍｍ×３６４ｍｍである。
【００２７】
凹形部２０ａ、２０ｂ及び２０ｂ’、２０ｃ、２０ｄ、２０ｅ、２０ｆは、シート材１０ａ〜１０ｆの一辺にそれぞれ形成され、例えば、略半円形状、矩形形状、台形形状、略半楕円形状、略半楕円形状、及びＶ形状であり、それぞれ略半円形状、矩形形状、台形形状、略半楕円形状、略半楕円形状、及びＶ形状の襟部を有する衣服に相当し、衣服の襟部の開口とほぼ大きさを有する。また、これらの略半円形状、矩形形状、台形形状、略半楕円形状、略半楕円形状、及びＶ形状の凹形部２０ａ、２０ｂ及び２０ｂ’、２０ｃ、２０ｄ、２０ｅ、２０ｆの大きさは、必要に応じて適宜に設計することができる。また、凸形３０ｆは、凸形（ハイネック）の襟部を有する衣服に相当する。なお、ネックボード２００において、シート材１０ａ〜１０ｆの各々の色と同じで、凹形部２０ａ、２０ｂ及び２０ｂ’、２０ｃ、２０ｄ、２０ｅ、２０ｆの大きさと異なる略半円形状、矩形形状、台形形状、略半楕円形状、略半楕円形状、及びＶ形状の凹形部を有する複数のシート材をさらに有するようにしても良い。凹形部２０ａにおけるラウンドネック形状の寸法（深さ×幅）は、単なる一例であるが、例えば、７５ｍｍ×１４５ｍｍである。凹形部２０ｂにおけるスクエアネック形状の寸法（深さ×幅）は、単なる一例であるが、例えば、７５ｍｍ×１５０ｍｍである。凹形部２０ｂ‘におけるボートネック形状の寸法（深さ×幅）は、単なる一例であるが、例えば、１０ｍｍ×２００ｍｍである。凹形部２０ｃにおけるＵネック形状の寸法（深さ×幅）は、単なる一例であるが、例えば、１５０ｍｍ×１５０ｍｍである。凹形部２０ｄにおけるクルーネック形状の寸法（深さ×幅）は、単なる一例であるが、例えば、２０ｍｍ×１４０ｍｍである。凹形部２０ｅにおけるＶ（狭）ネック形状の寸法（深さ×幅）は、単なる一例であるが、例えば、１５０ｍｍ×１５０ｍｍである。凹形部２０ｆにおけるＶ（広）ネック形状の寸法（深さ×幅）は、単なる一例であるが、例えば、１５０ｍｍ×２１０ｍｍである。また、凸形部３０ｆにおけるハイネック形状の寸法（高さ×幅）は、単なる一例であるが、例えば、３５ｍｍ×１２０ｍｍである。
【００２８】
以上説明したようにこれら第２〜第７のネックボード２００〜７００は、略四辺形状に形成され、表面及び裏面の両面に互いに異なる種類の色、質感及び／又は柄を有するシート材１０ａ〜１０ｆからなり、これら複数のシート材１０ａ〜１０ｆの一辺に衣服の襟部の開口形状に対応する凹形部２０、２０ｂ及び２０ｂ’、２０ｃ、２０ｄ、２０ｅ、２０ｆをそれぞれ設けるように構成されることで、衣服を選択する際に、ネックボード２００〜７００を順次に試着者の胸部前面に配置することで、どのようなネック部形状、色及び柄の衣服がその試着者の顔の形状、肌等に合うかを、特別の装置を必要とせずに簡単かつ低コストで判断することができる。
【００２９】
図３は本考案のネックボードセットにおける第８〜第１１のネックボード８００〜１１００の構成を示しており、これら第８〜第１１のネックボード８００〜１１００は、多辺形状に形成されかつ両面に互いに異なる種類の色を有する複数（６枚）のシート材１０ｇ〜１０ｊからそれぞれ構成されている。シート材１０ｇ〜１０ｊは、所定の多辺形状、例えば、略四辺形状の厚紙若しくは板紙又は樹脂平板から形成されており、同じ形状の凹形部２０ｇを有している。
【００３０】
より詳細には、同図（ａ）はＶ形状の凹形部２０ｇ（即ち、Ｖ（広）ネック）を有し、両面に互いに異なる種類の色を有するシート材１０ｇから構成された第８のネックボード８００を示している。例えば、シート材１０ｇの表面はゴールドに着色され、裏面はシルバーに描かれているか、又は表面にゴールドの表面フィルムが、裏面にシルバーの表面フィルムが固着されている。同図（ｂ）はＶ形状の凹形部２０ｇ（即ち、Ｖネック）を有し、両面に互いに異なる種類の色を有するシート材１０ｈから構成された第９のネックボード９００を示している。例えば、シート材１０ｈの表面はオレンジに着色され、裏面はピンクに着色されているか、又は表面にオレンジの表面フィルムが、裏面にピンクの表面フィルムが固着されている。同図（ｃ）はＶ形状の凹形部２０ｇ（即ち、Ｖネック）を有し、両面に互いに異なる種類の色を有するシート材１０ｉから構成された第１０のネックボード１０００を示している。例えば、シート材１０ｉの表面は黄味の紺に着色され、裏面は赤味の紺に着色されているか、又は表面に黄味の紺の表面フィルムが、裏面に赤味の紺の表面フィルムが固着されている。同図（ｄ）はＶ形状の凹形部２０ｇ（即ち、Ｖネック）を有し、両面に互いに異なる種類の色を有するシート材１０ｊから構成された第１１のネックボード１１００を示している。例えば、シート材１０ｊの表面はマットブラックに着色され、裏面はグローブラックに着色されているか、又は表面にマットブラックの表面フィルムが、裏面にグローブラックの表面フィルムが固着されている。これらシート材１０ｇ〜１０ｊの両面が互いに異なる種類の柄を有するようにしても良い。なお、シート材１０ｇ〜１０ｊは、可撓性を有することが好ましい。単なる一例であるが、シート材１０ｇ〜１０ｊの外形寸法は、例えば２５７ｍｍ×３６４ｍｍである。また、凹形部２０ｇにおけるＶ（広）ネック形状の寸法（深さ×幅）は、単なる一例であるが、例えば、１５０ｍｍ×２１０ｍｍである。
【００３１】
以上説明したようにこれら第８〜第１１のネックボード８００〜１１００は、略四辺形状に形成され、表面及び裏面の両面に互いに異なる種類の色を有するシート材１０ｇ〜１０ｊからなり、これら複数のシート材１０ｇ〜１０ｊの一辺に衣服の襟部の開口形状に対応する互いに同一形状の凹形部２０ｇを設けるように構成されることで、衣服を選択する際に、ネックボード８００〜１１００を順次に試着者の胸部前面に配置することで、同じネック部形状でどのような色及び柄の衣服がその試着者の顔の形状、肌等に合うかを、特別の装置を必要とせずに簡単かつ低コストで判断することができる。
【００３２】
図４は本考案のネックボードセットにおける第１のネックボード１００の使用形態を示している。同図に示すように、ネックボード１００を試着者の胸部前面に配置することで、どのようなネック部の形状及び色、質感及び柄の衣服がその人の顔の形状、髪型、肌等に合うか、特別の装置を必要とせずに簡単かつ低コストで判断することができる。
【００３３】
なお、上述した第１〜第１１のネックボード１００〜１１００において、シート材１０、１０ａ〜１０ｊの凹形部２０、２０ａ〜２０ｇが設けられている辺に対向する辺又は隣接する辺に、凹形部２０、２０ａ〜２０ｇの大きさ又は形状と異なる凹形部を設けても良い。
【００３４】
また、第８〜第１１のネックボード８００〜１１００において、複数のシート材１０ｇ〜１０ｊの両面が、互いに異なる柄をそれぞれ有していても良い。
【００３５】
さらに、上述した第１〜第１１のネックボード１００〜１１００において、凹形部２０、２０ａ、２０ｂ及び２０ｂ’、２０ｃ、２０ｄ、２０ｅ、２０ｆ〜２０ｇがＶ形状、略半円形状、矩形形状、台形形状、略半楕円形状、略半楕円形状、及びＶ形状である例を説明したが、本考案はこれに限定されるものではない。上記以外の形状にしても良い。
【００３６】
さらにまた、上述した第１〜第１１のネックボード１００〜１１００において、シート材１０、１０ａ〜１０ｊは四辺形状又は略四辺形状に形成された例を説明したが、本考案はこれに限定されるものではない。３辺形状、５辺形状又は６辺形状に形成されても良い。
【００３７】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００３８】
１０、１０a、１０ｂ、１０ｃ、１０ｄ、１０ｅ、１０ｆ、１０ｇ、１０ｈ、１０ｉ、１０ｊ  シート材
２０、２０ａ、２０ｂ、２０ｂ’、２０ｃ、２０ｄ、２０ｅ、２０ｆ、２０ｇ  凹形部
３０ｆ  凸形部
１００、２００、３００、４００、５００、６００、７００、８００、９００、１０００、１１００  ネックボード
【図１】
0003210710.tif 000003
【図２】
0003210710.tif 000004
【図３】
0003210710.tif 000005
【図４】
0003210710.tif 000006